(57)【特許請求の範囲】
【請求項１】
その外面でボールを打つように構成された、フェース、
該フェースに接続されたボディであって、そのヒールの近くでシャフトの接続のために適合され、かつ該ヒールとは反対側にトウを有する、ボディ、
該フェースの内面から後方に延び、かつ、該フェースの該内面を横切って、該フェースの上寄りヒール四分円中に配置された第一の位置と、該第一の位置に対して該フェースの下寄りトウ四分円の近くに配置された第二の位置との間に延びる縦軸を有する、第一の補剛部材であって、局所的に増大した剛性を該第一の位置と該第二の位置との間の該フェースの第一の区域に提供し、該フェースに対して平行かつ該縦軸に対して垂直に計測すると該第一の補剛部材の中心における全幅よりも大きい、該第一の位置および該第二の位置における全幅を有する、第一の補剛部材、および
該フェースの該内面から後方に延び、局所的に増大した剛性を、該第一の区域から離間した該フェースの第二の区域に提供する、第二の補剛部材
を含み、
該第一の補剛部材が該第二の補剛部材に比べてより大きな程度の剛性を該フェースに提供する、ゴルフクラブヘッド。
【請求項２】
第一および第二の補剛部材がフェースの内面と一体に形成されている、請求項1記載のゴルフクラブヘッド。
【請求項３】
フェースの内面から後方に延び、組み合わされて局所的に増大した剛性を該フェースの第二の区域に提供する複数の第二の補剛部材をさらに含み、第一の補剛部材が該組み合わされた第二の補剛部材よりも大きな程度の剛性を該フェースに提供する、請求項1記載のゴルフクラブヘッド。
【請求項４】
第二の補剛部材が放射状に延びる形に配設され、該放射状に延びる形の該補剛部材がフェースの中心から離間した点から放射状に延びる、請求項3記載のゴルフクラブヘッド。
【請求項５】
第二の放射状に延びる形に配設された複数の第三の補剛部材をさらに含み、該第三の補剛部材がフェースの中心から離間した第二の点から放射状に延びる、請求項4記載のゴルフクラブヘッド。
【請求項６】
第二の補剛部材が、前記点から放射状に延びる複数の直線状のリブを含む、請求項4記載のゴルフクラブヘッド。
【請求項７】
第二の補剛部材が、直線状のトラフをそれらの間に画定する複数のくさび形構造を含み、該トラフが前記点から放射状に延びる、請求項4記載のゴルフクラブヘッド。
【請求項８】
第二の補剛部材が、内面の少なくとも一部分を横切って延びるくぼみの少なくとも一つの列を含む歯状構造を形成するように配設されている、請求項3記載のゴルフクラブヘッド。
【請求項９】
第二の補剛部材が内面の少なくとも一部分に格子形に配設されている、請求項3記載のゴルフクラブヘッド。
【請求項１０】
フェースが、該フェースの縁で該フェースから後方に延びる壁を有するカップフェース構造によって形成され、第一の補剛部材および第二の補剛部材の少なくとも一方が、該フェースの該縁まで延び、かつ該フェースの該縁で該壁に沿って延びる部分を有する、請求項1記載のゴルフクラブヘッド。
【請求項１１】
その外面でボールを打つように構成された、フェース、
該フェースに接続されたボディであって、そのヒールの近くでシャフトの接続のために適合され、かつ該ヒールとは反対側にトウを有する、ボディ、ならびに
該フェースの内面から後方に延び、その中央縦軸が、該フェースの上寄りヒール四分円中に配置された第一の点と、該第一の点に対して該フェースの下寄りトウ四分円の近くに配置された第二の点との間に延びるように、該フェースの該内面を横切って延びる補剛部材であって、局所的に増大した剛性を該フェースに提供する、補剛部材
を含み、
該補剛部材が、該フェースに対して平行かつ該中央縦軸に対して垂直に計測すると該補剛部材の中心における全幅よりも大きい、該第一の点および該第二の点における全幅を有する、ゴルフクラブヘッド。
【請求項１２】
補剛部材の全幅が前記中央縦軸に対して垂直に計測される、請求項11記載のゴルフクラブヘッド。
【請求項１３】
補剛部材が、補剛部材の中心に向かって内にテーパする凹形の曲線状の縁によって両側を画定されている、請求項11記載のゴルフクラブヘッド。
【請求項１４】
補剛部材が、第一の点および第二の点の近くで分岐し、かつ補剛部材の中心で集合する、二つの曲線状のリブによって画定されている、請求項11記載のゴルフクラブヘッド。
【請求項１５】
補剛部材がX字形である、請求項11記載のゴルフクラブヘッド。
【請求項１６】
増大した剛性をフェースのさらなる区域に提供する複数のさらなる補剛部材をさらに含む、請求項11記載のゴルフクラブヘッド。
【請求項１７】
その外面でボールを打つように構成された、フェース、
該フェースに接続されたボディであって、そのヒールの近くでシャフトの接続のために適合され、かつ該ヒールとは反対側にトウを有する、ボディ、ならびに
該フェースの内面から後方に延び、その中央縦軸が、該フェースの上寄りヒール四分円中に配置された第一の点と、該第一の点に対して該フェースの下寄りトウ四分円の近くに配置された第二の点との間に延びるように、該フェースの該内面を横切って延びる補剛部材であって、第一の補剛部材が局所的に増大した剛性を該フェースに提供する、補剛部材
を含み、
該補剛部材が、該補剛部材の中心の近くに提供される局所的に増大した剛性の区域よりも大きい、局所的に増大した剛性の区域を該第一の点および該第二の点の近くで該フェースに提供し、かつ中心における幅よりも大きい、該第一の位置および該第二の位置における幅を有し、該幅は該フェースに対して平行かつ該中央縦軸に対して垂直に計測される、ゴルフクラブヘッド。
【請求項１８】
補剛部材が、中心に向かって内にテーパする凹形の曲線状の縁によって両側を画定されている、請求項17記載のゴルフクラブヘッド。
【請求項１９】
補剛部材が、第一の点および第二の点の近くで分岐し、かつ中心で集合する、二つの曲線状のリブによって画定されている、請求項17記載のゴルフクラブヘッド。
【請求項２０】
補剛部材がX字形である、請求項17記載のゴルフクラブヘッド。
【請求項２１】
増大した剛性をフェースのさらなる区域に提供する複数のさらなる補剛部材をさらに含む、請求項17記載のゴルフクラブヘッド。
【請求項２２】
その外面でボールを打つように構成されたフェースであって、上寄りヒール四分円、上寄りトウ四分円、下寄りヒール四分円および下寄りトウ四分円を有する、フェース、
該フェースに接続されたボディであって、そのヒールの近くでシャフトの接続のために適合され、かつ該ヒールとは反対側にトウを有する、ボディ、
該フェースの内面から後方に延び、局所的に増大した剛性を該フェースの区域に提供する第一の補剛部材であって、その表面積の大部分が該上寄りヒール四分円および該下寄りトウ四分円中に位置するように、該フェースの該内面を横切って延び、該第一の補剛部材が向かい合う２つの端部の間に延びる縦軸を有し、端部において該第一の補剛部材の中心よりも大きい幅を有し、該幅は該フェースに対して平行かつ該縦軸に対して垂直に計測される、第一の補剛部材、ならびに
該フェースの該内面から後方に延び、局所的に増大した剛性を該フェースの区域に提供する、複数の第二の補剛部材
を含む、ゴルフクラブヘッド。
【請求項２３】
第一および第二の補剛部材がフェースの内面と一体に形成されている、請求項22記載のゴルフクラブヘッド。
【請求項２４】
第二の補剛部材が二つの放射状に延びる形に配設され、各放射状に延びる形の該補剛部材が、フェースの中心から離間したそれぞれの点から放射状に延び、一つの点が上寄りトウ四分円中に位置し、別の点が下寄りヒール四分円中に位置する、請求項22記載のゴルフクラブヘッド。
【請求項２５】
第二の補剛部材が、前記各点から放射状に延びる複数の直線状のリブを含む、請求項24記載のゴルフクラブヘッド。
【請求項２６】
第二の補剛部材が、直線状のトラフをそれらの間に画定する複数のくさび形構造を含み、該トラフが前記点の一つから放射状に延びる、請求項24記載のゴルフクラブヘッド。
【請求項２７】
第二の補剛部材が、内面の少なくとも一部分を横切って延びるくぼみの少なくとも一つの列を含む歯状構造を形成するように配設されている、請求項22記載のゴルフクラブヘッド。
【請求項２８】
第二の補剛部材が内面の少なくとも一部分に格子形に配設されている、請求項22記載のゴルフクラブヘッド。
【請求項２９】
その外面でボールを打つように構成された、フェース、
該フェースに接続されたボディであって、そのヒールの近くでシャフトの接続のために適合され、かつ該ヒールとは反対側にトウを有する、ボディ、ならびに
該フェースの内面から後方に延び、その中央縦軸が第一の点と第二の点との間に延びるように該フェースの該内面を横切って延びる補剛部材であって、該フェースの上寄りヒール四分円中に配置された該第一の点と、該第一の点とは反対側の該フェースの下寄りトウ四分円中に配置された該第二の点との間に該フェースの中央を横切って延び、局所的に増大した剛性を該フェースに提供し、フェースに対して平行かつ該中央縦軸に対して垂直に計測すると該フェースの中心における幅よりも大きい、第一の点および該第二の点における幅を有する、補剛部材
を含み、
該フェースの内面が、該補剛部材の第一の側に位置する第一の凹部および該補剛部材の第二の側に位置する第二の凹部を有し、該第一および第二の凹部それぞれが、該第一の点および該第二の点の近くで最大であり、かつ該第一の点と該第二の点との間の中間点の近くで最小であるフェース厚を有する凹形の厚さ分布を有する、ゴルフクラブヘッド。
【請求項３０】
補剛部材が、第一の点および該第二の点の近くで最小であり、中間点の近くで最大であるフェース厚を有する凸形の厚さ分布を有する、請求項29記載のゴルフクラブヘッド。
【請求項３１】
補剛部材が、フェースの中心に向かって内に延びる凹形の曲線状の縁によって両側を画定されている、請求項29記載のゴルフクラブヘッド。
【請求項３２】
請求項1〜31いずれか一項記載のゴルフクラブヘッドおよび該ヘッドと係合したシャフトを含む、ゴルフクラブ。
【発明の詳細な説明】
【技術分野】
【０００１】
本発明は一般に、補剛された部分をその打球面に有する打球装置、たとえばゴルフクラブおよびゴルフクラブヘッドに関する。本発明の特定の局面は、フェースの内面から後方に延びる一つまたは複数の補剛部材を有するゴルフクラブヘッドに関する。
【背景技術】
【０００２】
発明の背景
ゴルフは、多種多様なプレーヤ、すなわち異なる性別ならびに劇的に異なる年齢および熟練度レベルのプレーヤによって楽しまれている。ゴルフは、そのような多様なプレーヤの集まりがゴルフのラウンドまたはイベントで互いに直接競いながらいっしょにプレーし（たとえば、ハンデ付きのスコア、異なるティーボックスなどを使用して）、なおもゴルフのラウンドまたは競技を楽しむことができるという点で、スポーツの世界ではいくぶんユニークである。これらの要因が、テレビにおけるゴルフ番組（たとえばゴルフトーナメント、ゴルフニュース、ゴルフの歴史および／または他のゴルフ番組）の増加および著名なゴルフスーパースターの出現と相まって、少なくとも部分的に、近年、米国および世界中でのゴルフ人気を高めた。
【０００３】
ゴルファーは、すべての熟練度レベルにおいて、パフォーマンスを改善し、ゴルフスコアを良くし、その次のパフォーマンス「レベル」に到達しようとする。すべてのタイプのゴルフ用具の製造者はこれらの要求に応え、近年、ゴルフ用具における劇的な変化および改良を見た。たとえば、今や、広い範囲の異なるゴルフボールモデルが利用可能であり、一部のボールは、より遠く、よりまっすぐに飛ぶ、より高いまたはよりフラットな弾道を提供する、より多くのスピン、コントロールおよび感触（特にグリーン周りの）を提供するなどのように設計されている。
【０００４】
プレー中にゴルフボールを動かす唯一の道具であることから、ゴルフクラブもまた、近年、多大な技術的研究および進歩の対象であった。たとえば、市場は、近年、ゴルフクラブヘッド、シャフトおよびグリップにおける改良を見てきた。さらには、ゴルフクラブの様々な要素およびゴルフボールの特性を特定のユーザのスイング特徴または特性により良く適合させようとして、他の技術的進歩が達成されてきた（たとえばクラブフィッティング技術、ボール打ち出し角計測技術など）。
【０００５】
様々な技術的改良にもかかわらず、ゴルフは依然として高いレベルではプレーしにくい競技である。ゴルフボールをまっすぐかつ所望の方向に確実に飛ばすためには、ゴルフクラブが、所望の目標経路に対してスクエアに（または実質的にスクエアに）ゴルフボールと当たらなければならない。そのうえ、まっすぐかつ所望の方向に所望の距離だけ確実に飛ばすためには、ゴルフクラブは、クラブヘッドフェースの所望の位置またはその近くで（すなわち、「所望の」または「最適な」ボール接触位置またはその近くで）ゴルフボールと当たらなければならない。芯を外した（オフセンター）ヒットは、クラブフェースがボールと接触したときクラブフェースを「ひねる」傾向にあり、それにより、ボールを誤った方向に送り出したり、望まれないフックまたはスライススピンをかけたり、および／または、ショットの飛距離を奪ったりする。スクエアな接触を逸する、および／または、相対的にわずかな量であってもクラブの所望のボール接触位置から離れた場所で起こるクラブフェース／ボール接触もまた、しばしば望まれないフックまたはスライススピンをかけながらゴルフボールを誤った方向に打ち出したり、および／または、ショットの飛距離を奪ったりするおそれがある。したがって、ユーザがクラブフェースをボールとスクエアに維持することを支援することができるクラブヘッド特徴は、ボールを所望の方向によりまっすぐかつより忠実に、多くの場合には改善された、および／または信頼しうる距離で飛ばすことを支援する傾向を示すであろう。
【０００６】
他のゴルフクラブと同じく、ドライバおよび他の「ウッド」もまた、所望の方向にまっすぐかつ忠実なショットを生むためには、所望の方向または経路でゴルフボールとスクエアな接触を起こさなければならない。接触点におけるクラブヘッドとゴルフボールとの間のスクエアさからのわずかな逸脱さえ、誤差を生じさせることができる。ドライバおよび他のウッドタイプゴルフクラブは一般に、他のクラブよりも大きな距離でボールを飛ばすため、これらの誤差が拡大するおそれがある。
【０００７】
多くのオフセンターゴルフヒットは、ゴルフクラブをスイングする際にゴルファーによって繰り返し犯され、多くの他のゴルファーによっても同じく犯されるかもしれない共通の過ちによって生じる。その結果、多くの場合、オフセンターヒットの大きな割合がクラブフェースの特定の区域で起こるパターンを検出することができる。たとえば、検出されている一つのそのようなパターンは、多くの高ハンデゴルファーがクラブフェースのロウヒール区域および／またはクラブフェースのハイトウ区域でボールを打つ傾向にあるということである。他のゴルファーは、クラブフェースの他の区域で所望の、または最適な接触点を逸する傾向にあるかもしれない。ゴルフクラブは一般に、フェースの中央またはその辺りでボールと接触するように設計されているため、そのようなオフセンターヒットは、ボールに伝達されるエネルギーを減らして、ショットの距離を縮める結果を招くおそれがある。また、ゴルフクラブによってボールに伝達されるエネルギーまたは速度は、少なくとも部分的に、クラブフェースの接触点における可撓性に関連することもあり、「反発係数」（または「COR」）と呼ばれる計測値を使用して表すことができる。ゴルフクラブヘッドの最大CORは、現在、USGAによって0.83に制限されている。したがって、オフセンターヒットがもっとも起こりやすいフェースの区域で最大化CORを提供するために、現在のCOR制限を超えることなく、ゴルフクラブフェースの局所可撓性をカスタマイズまたは調節する必要性が存在する。
【０００８】
本装置および方法は、上述した問題および他の問題に対処し、このタイプの従来の打球装置によって提供されていない利点および局面を提供するために提供される。本発明の特徴および利点の十分な説明は、以下の詳細な説明にゆだねることとする。
【発明の概要】
【０００９】
以下、本発明の基本的理解を提供するために、本発明の局面の概要を提示する。この概要は本発明の広範な概観ではない。発明の主要または重要な要素を特定することを意図したものでもなく、本発明の範囲を限定することを意図したものでもない。以下の概要は、本発明の概念を、以下に提供される詳細な説明への前置きとして一般的な形態で提示するだけである。
【００１０】
本発明の局面は、ボールを打つように構成されたフェースおよびフェースに接続された、そのヒールの近くでシャフトの接続のために適合されたボディを含むヘッドを有する打球装置、たとえばゴルフクラブに関する。本明細書に記載されるフェースの様々な例示的構造は、局所的に増大した剛性をフェースの特定区域に提供するための一つまたは複数の補剛部材または他の構造をフェースの内面に含む。ゴルフクラブヘッド構造のフェースは、増大した剛性の標的領域を含む（たとえば上寄りヒールおよび／または下寄りトウ四分円中）ように形成されることができ、フェースの他の標的領域が補剛領域に比較して増大した可撓性を有するようにしておく。増大したフェース可撓性の標的領域を、フェース上の、ゴルファーがボールを打つ傾向にある位置に配置することにより（たとえば、上記のような高ハンデゴルファーは、クラブフェースの下寄りヒールまたは上寄りトウ領域でボールを打つ傾向にある）、ゴルフショットは、オフセンターヒットの場合に、たとえばこれらのオフセンター位置における増大したCOR応答により、フェースからの増大した「反発力」を体感しうる（そのオフセンターヒットが、増大した可撓性の位置でかつ十分な速度でフェースに衝突するならば）。増大した剛性の領域は、いくつかのオフセンター位置でCOR応答を増大させながらも、クラブヘッド全体のCOR応答を制御し、クラブヘッドのCORがゴルフ規則の制約内にとどまることを保証するために使用しうる。
【００１１】
一つの局面にしたがって、フェースは、その内面から後方に延びる第一の補剛部材を含み、第一の補剛部材の縦方向中心線が第一の点と第二の点との間に延びている。第一の点は、フェースの上寄りヒール四分円中に配置され、第二の点は、フェースの下寄りトウ四分円中に配置されている。または、第一および第二の点は、第一の補剛部材の縦方向中心線が上寄りヒール四分円から下寄りトウ四分円に向かう方向に延びるように配置されうる。第一の補剛部材は、局所的に増大した剛性を第一の点と第二の点との間のフェースの区域に提供する。さらには、フェースの内面から後方に延び、局所的に増大した剛性をフェースの一つまたは複数の他の区域に提供する、一つまたは複数の第二の補剛部材が提供されてもよい。第一の補剛部材は、第二の補剛部材に比べてより大きな程度の剛性をフェースに提供しうる。いくつかの例示的構造において、第二の補剛部材は、一つまたは複数の放射状に延びる形に配設されることができる。
【００１２】
本発明の別の局面にしたがって、フェースは、その内面から後方に延びる補剛部材を含み、補剛部材は、第一の点と第二の点との間に延びる中央縦軸を含む。第一の点はフェースの上寄りヒール四分円中に位置し、第二の点はフェースの下寄りトウ四分円中に位置する。または、第一および第二の点は、第一の補剛部材の縦方向中心線が上寄りヒール四分円から下寄りトウ四分円に向かう方向に延びるように配置されてもよい。この例示的構造の補剛部材は、その中間および中央区域における幅よりも大きい、第一の点および第二の点における幅を有する。いくつかの例示的構造において、補剛部材は、中心に向かって（すなわち、補剛部材の縦軸に向かって）内にテーパまたは湾曲する凹形の曲線状の縁によって両側を画定されている。他の例示的構造において、補剛部材は、第一の点および第二の点の近くで分岐し、中心で集合する二つの曲線状のリブによって画定される。
【００１３】
本発明のさらに別の局面にしたがって、フェースは、その内面から後方に延びる補剛部材を含み、補剛部材は、第一の点と第二の点との間に延びる中央縦軸を含む。第一の点はフェースの上寄りヒール四分円中に位置し、第二の点はフェースの下寄りトウ四分円中に位置する。または、第一および第二の点は、第一の補剛部材の縦方向中心線が上寄りヒール四分円から下寄りトウ四分円に向かう方向に延びるように配置されてもよい。補剛部材は、補剛部材の中心の近くに提供される局所的に増大した剛性の区域よりも大きい局所的に増大した剛性の区域を第一の点および第二の点の近くでフェースに提供する。
【００１４】
本発明のさらなる局面にしたがって、フェースは、局所的に増大した剛性をフェースの区域に提供する、その内面から後方に延びる第一の補剛部材を有する。第一の補剛部材は、第一の補剛部材の大部分がフェースの上寄りヒール四分円および下寄りトウ四分円中に位置するようにフェースの内面を横切って延びる。複数の第二の補剛部材がフェースの内面から後方に延び、同じく、局所的に増大した剛性をフェースの区域に提供しうる。少なくともいくつかの例示的構造において、第二の補剛部材の大部分がフェースの上寄りトウ四分円および下寄りヒール四分円中に分布する。上記のように、いくつかの例示的構造において、第二の補剛部材は、フェースのハイトウおよびロウヒール区域中（たとえばフェースの上寄りトウおよび下寄りヒール四分円中）に中心点を有しうる、一つまたは複数の放射状に延びる形に形成されることができる。
【００１５】
本発明のなおさらなる局面にしたがって、フェースは、その内面から後方に延びる補剛部材を含み、補剛部材は、第一の点と第二の点との間でフェースの中心を横切って延びる中央縦軸を含む。第一の点はフェースの一つの縁の近くに配置され、第二の点は、実質的に第一の点とは反対側のフェースの第二の縁の近くに配置される（たとえば、上寄りヒール角から下寄りトウ角まで）。フェースの内面は、補剛部材の両側に位置する凹部を有してもよく、各凹部は、第一の点および第二の点の近くで最大であり、第一の点と第二の点との間の中間点の近くで最小であるフェース厚を有する凹形の厚さ分布を有してもよい。いくつかの例示的構造において、補剛部材は、第一の点および第二の点の近くで最小であり、中間点の近くで最大であるフェース厚を有する凸形の厚さ分布を有してもよい。
【００１６】
本発明のなおさらなる局面にしたがって、フェースの内面から後方に延びる複数の補剛部材が、局所的に増大した剛性をフェースに提供する。これらの補剛部材は、少なくとも二つの放射状に延びる形を創製して、各放射状に延びる形の補剛部材が、フェースの中心点から離間した（たとえば、フェースの幾何学的中心から離間した）中心点から放射状に延びるように配設されてもよい。
【００１７】
本発明のさらなる局面にしたがって、フェースは、その内面の大部分に分布した模様付きまたは歯状構造を有してもよい。歯状構造は、内面の少なくとも一部分を横切って延びるくぼみの少なくとも一つの列を含んでもよい。一つの例示的構造において、歯状構造は、内面の少なくとも一部分を横切って延びる複数の列および行のくぼみを有する二次元格子構造に形成される。別の例示的構造において、二次元格子構造はさらに、くぼみを分ける複数の実質的に直線状の水平方向および垂直方向のリブを含み、リブはくぼみに対して隆起している。くぼみは逆角錐形を有してもよい。
【００１８】
本発明のなおさらなる局面にしたがって、フェースは、その内面から後方に延びる補剛部材を有して、補剛部材の中央縦軸が第一の接触点から第二の接触点まで延びるようになっている。この例示的構造の補剛部材は、フェースから延び、第一および第二の接触点でフェースに対して実質的に垂直に延びる少なくとも二つの脚部、および脚部の間に延びる、フェースの内面から離間したアームを有する。補剛部材は、第一および第二の接触点を包囲するフェースの区域が接触点から離間したフェースの他の区域に比べて局所的により大きな剛性を有するように、局所的に増大した剛性をフェースに提供する。様々な例示的構造において、補剛部材は、ハイヒールからロウトウの方向またはハイトウからロウヒールの方向（たとえば、上寄りヒール四分円から下寄りトウ四分円または下寄りヒール四分円から上寄りトウ四分円の方向など）に延びるように向けてもよく、あるいは補剛部材は、Y字形構造を有してもよい。
【００１９】
本発明の別の局面は、（a）その外面でボールを打つように構成されたフェース、（b）フェースに接続された、そのヒールの近くでシャフトの接続のために適合され、ヒールとは反対側にトウを有するボディ、および（c）フェースの内面から後方に延び、その中央縦軸が第一の点と第二の点との間に延びるようにフェースの内面を横切って延びる細長い補剛部材を含む、ゴルフクラブヘッドに関する。この例示的構造において、第一の点はフェースの上寄りヒール四分円中またはその近くに配置され（第二の点に比べて）、第二の点はフェースの下寄りトウ四分円中またはその近くに配置され（第一の点に比べて）、補剛部材は、囲い込まれた内部区域を包囲する環状リング（たとえば円形、楕円形、多角形または卵形など）を含み、環状リングは、囲い込まれた内部区域よりも厚い。補剛部材はさらに、環状リングと囲い込まれた内部区域との間に延びる傾斜した移行領域および／または環状リングと環状リングに対して外の区域との間に延びる傾斜した移行領域を含んでもよい（このような構造において、囲い込まれた内部区域は、環状リングに対して外の区域よりも厚くてもよい）。
【００２０】
本発明のさらに別の局面は、（a）その外面でボールを打つように構成されたフェース、（b）フェースに接続された、そのヒールの近くでシャフトの接続のために適合され、ヒールとは反対側にトウを有するボディ、（c）フェースの内面から後方に延び、フェースの内面を横切って、フェースの上寄りヒール四分円中またはその近くに配置された（第二の位置に比べて）第一の位置からフェースの下寄りトウ四分円中またはその近くに配置された（第一の位置に比べて）第二の位置まで延び、局所的に増大した剛性をフェースに提供し、ヒールに対面する湾曲面を含む、第一の補剛部材、および（d）フェースの内面から後方に延び、フェースの内面を横切って、フェースの上寄りヒール四分円中またはその近くに配置された（第四の位置に比べて）第三の位置から第四の位置まで延び、トウに対面する湾曲面を含む、第二の補剛部材を含む、ゴルフクラブヘッドに関する。場合によっては、第四の位置は、フェースの下寄りヒールまたは下寄りトウ四分円中またはその近くにあってもよい（第三の位置に比べて）。第一および第二の補剛部材の湾曲面は互いに対面して、補剛部材の間に内部区域を画定しうる。さらには、補剛部材は、上面からこの内部区域まで延びる傾斜した移行領域および／または上面から補剛部材に対して外かつ内部区域に対して外の区域まで延びる傾斜した移行領域を含みうる。さらには、望むならば、補剛部材は互いの鏡像であってもよい。
【００２１】
本発明の他の特徴および利点は、添付図面と併せて読まれる以下の詳細な説明から明らかになるであろう。
[請求項1001]
その外面でボールを打つように構成された、フェース、
該フェースに接続されたボディであって、そのヒールの近くでシャフトの接続のために適合され、かつ該ヒールとは反対側にトウを有する、ボディ、
該フェースの内面から後方に延び、該フェースの該内面を横切って、該フェースの上寄りヒール四分円中に配置された第一の位置と、該第一の位置に対して該フェースの下寄りトウ四分円の近くに配置された第二の位置との間に延びる第一の補剛部材であって、局所的に増大した剛性を該第一の位置と該第二の位置との間の該フェースの第一の区域に提供する、第一の補剛部材、および
該フェースの該内面から後方に延び、局所的に増大した剛性を、該第一の区域から離間した該フェースの第二の区域に提供する、第二の補剛部材
を含み、
該第一の補剛部材が該第二の補剛部材に比べてより大きな程度の剛性を該フェースに提供する、ゴルフクラブヘッド。
[請求項1002]
第一および第二の補剛部材がフェースの内面と一体に形成されている、請求項1001記載のゴルフクラブヘッド。
[請求項1003]
フェースの内面から後方に延び、組み合わされて局所的に増大した剛性を該フェースの第二の区域に提供する複数の第二の補剛部材をさらに含み、第一の補剛部材が該組み合わされた第二の補剛部材よりも大きな程度の剛性を該フェースに提供する、請求項1001記載のゴルフクラブヘッド。
[請求項1004]
第二の補剛部材が放射状に延びる形に配設され、該放射状に延びる形の該補剛部材がフェースの中心から離間した点から放射状に延びる、請求項1003記載のゴルフクラブヘッド。
[請求項1005]
第二の放射状に延びる形に配設された複数の第三の補剛部材をさらに含み、該第三の補剛部材がフェースの中心から離間した第二の点から放射状に延びる、請求項1004記載のゴルフクラブヘッド。
[請求項1006]
第二の補剛部材が、前記点から放射状に延びる複数の実質的に直線状のリブを含む、請求項1004記載のゴルフクラブヘッド。
[請求項1007]
第二の補剛部材が、実質的に直線状のトラフをそれらの間に画定する複数のくさび形構造を含み、該トラフが前記点から放射状に延びる、請求項1004記載のゴルフクラブヘッド。
[請求項1008]
第二の補剛部材が、内面の少なくとも一部分を横切って延びるくぼみの少なくとも一つの列を含む歯状構造を形成するように配設されている、請求項1003記載のゴルフクラブヘッド。
[請求項1009]
第二の補剛部材が内面の少なくとも一部分に格子形に配設されている、請求項1003記載のゴルフクラブヘッド。
[請求項1010]
第一の補剛部材および第二の補剛部材が放射状に延びる形に配設され、該放射状に延びる形の第二の補剛部材が該第一の補剛部材の中心に近い点から放射状に延びる、請求項1003記載のゴルフクラブヘッド。
[請求項1011]
前記点を中心に位置する円板形の補剛部材をさらに含む、請求項1010記載のゴルフクラブヘッド。
[請求項1012]
フェースが、該フェースの縁で該フェースから後方に延びる壁を有するカップフェース構造によって形成され、第一の補剛部材および第二の補剛部材の少なくとも一方が、該フェースの該縁まで延び、かつ該フェースの該縁で該壁に沿って延びるコンポーネントを有する、請求項1001記載のゴルフクラブヘッド。
[請求項1013]
請求項1001記載のゴルフクラブヘッドおよび該ヘッドと係合したシャフトを含む、ゴルフクラブ。
[請求項1014]
その外面でボールを打つように構成された、フェース、
該フェースに接続されたボディであって、そのヒールの近くでシャフトの接続のために適合され、かつ該ヒールとは反対側にトウを有する、ボディ、ならびに
該フェースの内面から後方に延び、その中央縦軸が、該フェースの上寄りヒール四分円中に配置された第一の点と、該第一の点に対して該フェースの下寄りトウ四分円の近くに配置された第二の点との間に延びるように、該フェースの該内面を横切って延びる補剛部材であって、局所的に増大した剛性を該フェースに提供する、補剛部材
を含み、
該補剛部材が、該フェースに対して平行に計測すると該補剛部材の中心における全幅よりも大きい、該第一の点および該第二の点における全幅を有する、ゴルフクラブヘッド。
[請求項1015]
補剛部材の全幅が前記中央縦軸に対して実質的に垂直に計測される、請求項1014記載のゴルフクラブヘッド。
[請求項1016]
補剛部材が、中心に向かって内にテーパする凹形の曲線状の縁によって両側を画定されている、請求項1014記載のゴルフクラブヘッド。
[請求項1017]
補剛部材が、第一の点および第二の点の近くで分岐し、かつ中心で集合する、二つの曲線状のリブによって画定されている、請求項1014記載のゴルフクラブヘッド。
[請求項1018]
補剛部材が実質的にX字形である、請求項1014記載のゴルフクラブヘッド。
[請求項1019]
増大した剛性をフェースのさらなる区域に提供する複数のさらなる補剛部材をさらに含む、請求項1014記載のゴルフクラブヘッド。
[請求項1020]
請求項1014記載のゴルフクラブヘッドおよび該ヘッドと係合したシャフトを含む、ゴルフクラブ。
[請求項1021]
その外面でボールを打つように構成された、フェース、
該フェースに接続されたボディであって、そのヒールの近くでシャフトの接続のために適合され、かつ該ヒールとは反対側にトウを有する、ボディ、ならびに
該フェースの内面から後方に延び、その中央縦軸が、該フェースの上寄りヒール四分円中に配置された第一の点と、該第二の点に対して該フェースの下寄りトウ四分円の近くに配置された第二の点との間に延びるように、該フェースの該内面を横切って延びる補剛部材であって、第一の補剛部材が局所的に増大した剛性を該フェースに提供する、補剛部材
を含み、
該補剛部材が、該補剛部材の中心の近くに提供される局所的に増大した剛性の区域よりも大きい、局所的に増大した剛性の区域を該第一の点および該第二の点の近くで該フェースに提供する、ゴルフクラブヘッド。
[請求項1022]
補剛部材が、中心における幅よりも大きい、第一の点および第二の点における幅を有する、請求項1021記載のゴルフクラブヘッド。
[請求項1023]
補剛部材が、中心に向かって内にテーパする凹形の曲線状の縁によって両側を画定されている、請求項1021記載のゴルフクラブヘッド。
[請求項1024]
補剛部材が、第一の点および第二の点の近くで分岐し、かつ中心で集合する、二つの曲線状のリブによって画定されている、請求項1021記載のゴルフクラブヘッド。
[請求項1025]
補剛部材が実質的にX字形である、請求項1021記載のゴルフクラブヘッド。
[請求項1026]
増大した剛性をフェースのさらなる区域に提供する複数のさらなる補剛部材をさらに含む、請求項1021記載のゴルフクラブヘッド。
[請求項1027]
請求項1021記載のゴルフクラブヘッドおよび該ヘッドと係合したシャフトを含む、ゴルフクラブ。
[請求項1028]
その外面でボールを打つように構成されたフェースであって、上寄りヒール四分円、上寄りトウ四分円、下寄りヒール四分円および下寄りトウ四分円を有する、フェース、
該フェースに接続されたボディであって、そのヒールの近くでシャフトの接続のために適合され、かつ該ヒールとは反対側にトウを有する、ボディ、
該フェースの内面から後方に延び、局所的に増大した剛性を該フェースの区域に提供する第一の補剛部材であって、その表面積の大部分が該上寄りヒール四分円および該下寄りトウ四分円中に位置するように、該フェースの該内面を横切って延びる、第一の補剛部材、ならびに
該フェースの該内面から後方に延び、局所的に増大した剛性を該フェースの区域に提供する、複数の第二の補剛部材
を含む、ゴルフクラブヘッド。
[請求項1029]
第一および第二の補剛部材がフェースの内面と一体に形成されている、請求項1028記載のゴルフクラブヘッド。
[請求項1030]
第二の補剛部材が二つの放射状に延びる形に配設され、各放射状に延びる形の該補剛部材が、フェースの中心から離間したそれぞれの点から放射状に延び、一つの点が上寄りトウ四分円中に位置し、別の点が下寄りヒール四分円中に位置する、請求項1028記載のゴルフクラブヘッド。
[請求項1031]
第二の補剛部材が、前記各点から放射状に延びる複数の実質的に直線状のリブを含む、請求項1030記載のゴルフクラブヘッド。
[請求項1032]
第二の補剛部材が、実質的に直線状のトラフをそれらの間に画定する複数のくさび形構造を含み、該トラフが前記点の一つから放射状に延びる、請求項1030記載のゴルフクラブヘッド。
[請求項1033]
第二の補剛部材が、内面の少なくとも一部分を横切って延びるくぼみの少なくとも一つの列を含む歯状構造を形成するように配設されている、請求項1028記載のゴルフクラブヘッド。
[請求項1034]
第二の補剛部材が内面の少なくとも一部分に格子形に配設されている、請求項1028記載のゴルフクラブヘッド。
[請求項1035]
請求項1028記載のゴルフクラブヘッドおよび該ヘッドと係合したシャフトを含む、ゴルフクラブ。
[請求項1036]
その外面でボールを打つように構成された、フェース、
該フェースに接続されたボディであって、そのヒールの近くでシャフトの接続のために適合され、かつ該ヒールとは反対側にトウを有する、ボディ、ならびに
該フェースの内面から後方に延び、その中央縦軸が第一の点と第二の点との間に延びるように該フェースの該内面を横切って延びる補剛部材であって、該フェースの上寄りヒール四分円中に配置された該第一の点と、該第一の点とは実質的に反対側の該フェースの下寄りトウ四分円中に配置された該第二の点との間に該フェースの中央を横切って延び、局所的に増大した剛性を該フェースに提供する、補剛部材
を含み、
該フェースの内面が、該補剛部材の第一の側に位置する第一の凹部および該補剛部材の第二の側に位置する第二の凹部を有し、該第一および第二の凹部それぞれが、該第一の点および該第二の点の近くで最大であり、かつ該第一の点と該第二の点との間の中間点の近くで最小であるフェース厚を有する凹形の厚さ分布を有する、ゴルフクラブヘッド。
[請求項1037]
補剛部材が、第一の点および該第二の点の近くで最小であり、中間点の近くで最大であるフェース厚を有する凸形の厚さ分布を有する、請求項1036記載のゴルフクラブヘッド。
[請求項1038]
補剛部材が、フェースに対して平行に計測すると該フェースの中心における幅よりも大きい、第一の点および第二の点における幅を有する、請求項1037記載のゴルフクラブヘッド。
[請求項1039]
補剛部材が、フェースに対して平行に計測すると該フェースの中心における幅よりも大きい、第一の点および該第二の点における幅を有する、請求項1036記載のゴルフクラブヘッド。
[請求項1040]
補剛部材が、フェースの中心に向かって内に延びる凹形の曲線状の縁によって両側を画定されている、請求項1036記載のゴルフクラブヘッド。
[請求項1041]
請求項1036記載のゴルフクラブヘッドおよび該ヘッドと係合したシャフトを含む、ゴルフクラブ。
[請求項1042]
その外面でボールを打つように構成された、フェース、
該フェースに接続されたボディであって、そのヒールの近くでシャフトの接続のために適合され、かつ該ヒールとは反対側にトウを有する、ボディ、ならびに
該フェースの内面から後方に延び、局所的に増大した剛性を該フェースに提供する複数の補剛部材であって、少なくとも二つの放射状に延びる形を創製するように配設された、複数の補剛部材
を含み、
各放射状に延びる形の該補剛部材が、該フェースの中心点から離間した中心点から放射状に延びる、ゴルフクラブヘッド。
[請求項1043]
補剛部材がフェースの内面と一体に形成されている、請求項1042記載のゴルフクラブヘッド。
[請求項1044]
補剛部材が、第一の中心点を有する第一の放射状に延びる形および第二の中心点を有する第二の放射状に延びる形に配設され、該第一の中心点がフェースの内面の上寄りヒール四分円中に配置され、かつ第二の中心点が該フェースの該内面の下寄りトウ四分円中に配置されている、請求項1042記載のゴルフクラブヘッド。
[請求項1045]
フェースの内面から後方に延び、かつ局所的に増大した剛性を該フェースに提供する、第一の中心点と第二の中心点との間に位置する第一の補剛部材をさらに含む、請求項1044記載のゴルフクラブヘッド。
[請求項1046]
補剛部材が、各中心点から放射状に延びる複数の実質的に直線状のリブを含む、請求項1042記載のゴルフクラブヘッド。
[請求項1047]
補剛部材が、実質的に直線状のトラフをそれらの間に画定する複数のくさび形構造を含み、該トラフが各中心点から放射状に延びる、請求項1046記載のゴルフクラブヘッド。
[請求項1048]
補剛部材が、実質的に直線状のトラフをそれらの間に画定する複数のくさび形構造を含み、該トラフが各中心点から放射状に延びる、請求項1042記載のゴルフクラブヘッド。
[請求項1049]
請求項1042記載のゴルフクラブヘッドおよび該ヘッドと係合したシャフトを含む、ゴルフクラブ。
[請求項1050]
その外面でボールを打つように構成されたフェースであって、その内面が、その大部分に分布した歯状構造を有し、該歯状構造が、該内面の少なくとも一部分を横切って延びるくぼみの少なくとも一つの列を含む、フェース、および
該フェースに接続されたボディであって、そのヒールの近くでシャフトの接続のために適合され、かつ該ヒールとは反対側にトウを有する、ボディ
を含む、ゴルフクラブヘッド。
[請求項1051]
歯状構造が、内面の少なくとも一部分を横切って延びるくぼみの複数の行および列を有する二次元格子構造に形成されている、請求項1050記載のゴルフクラブヘッド。
[請求項1052]
二次元格子構造が、くぼみを分け、該くぼみに対して隆起している複数の実質的に直線状の水平方向および垂直方向のリブをさらに含む、請求項1051記載のゴルフクラブヘッド。
[請求項1053]
各くぼみが逆角錐形を有する、請求項1050記載のゴルフクラブヘッド。
[請求項1054]
くぼみが、該くぼみに対して隆起した複数のリブによって分けられている、請求項1050記載のゴルフクラブヘッド。
[請求項1055]
フェースの内面から後方に延び、局所的に増大した剛性を該フェースに提供する、該フェースの中心を横切って延びる補剛部材をさらに含む、請求項1050記載のゴルフクラブヘッド。
[請求項1056]
歯状構造が、補剛部材の第一の側でフェースの内面の第一の部分に分布し、および該補剛部材の反対側の第二の側で該フェースの内面の第二の部分に分布している、請求項1055記載のゴルフクラブヘッド。
[請求項1057]
その外面でボールを打つように構成された、フェース、
該フェースに接続された、ボディ、ならびに
第一の接触位置および第二の接触位置で該フェースの内面に接続された補剛部材であって、該フェースに接続され、該第一の接触位置で該フェースに対して実質的に垂直に延びる第一の脚部、該フェースに接続され、該第二の接触位置で該フェースに対して実質的に垂直に延びる第二の脚部、および該第一の脚部と該第二の脚部との間に延びる、該フェースの該内面から離間したアームを含む、補剛部材
を含み、
該補剛部材が、該第一および第二の接触位置を包囲する該フェースの区域が該接触位置から離間した該フェースの他の区域に比べて局所的により大きい剛性を有するように、局所的に増大した剛性を該フェースに提供する、ゴルフクラブヘッド。
[請求項1058]
補剛部材が、第一および第二の接触位置における溶接によってフェースの内面に接続されている、請求項1057記載のゴルフクラブヘッド。
[請求項1059]
補剛部材が、フェースの内面に接続され、かつ第三の接触位置で該フェースに対して実質的に垂直に延びる第三の脚部をさらに含み、アームが第一、第二および第三の接触位置の間に延びる、請求項1057記載のゴルフクラブヘッド。
[請求項1060]
補剛部材のアームが、Y字形を形成するように接続された複数のアームセグメントを含む、請求項1059記載のゴルフクラブヘッド。
[請求項1061]
補剛部材がフェースの内面を斜めに横切って延びる、請求項1057記載のゴルフクラブヘッド。
[請求項1062]
ボディが、そのヒールの近くでシャフトの接続のために適合され、かつ該ヒールとは反対側にトウを有し、第一の接触位置がフェースの上寄りヒール四分円中に配置され、第二の接触位置が、該第一の接触位置に対して該フェースの下寄りトウ四分円の近くに配置されている、請求項1057記載のゴルフクラブヘッド。
[請求項1063]
ボディが、そのヒールの近くでシャフトの接続のために適合され、かつ該ヒールとは反対側にトウを有し、第一の接触位置がフェースの上寄りトウ四分円中に配置され、第二の接触位置が、該第一の接触位置に対して該フェースの下寄りヒール四分円の近くに配置されている、請求項1057記載のゴルフクラブヘッド。
[請求項1064]
請求項1057記載のゴルフクラブヘッドおよび該ヘッドと係合したシャフトを含む、ゴルフクラブ。
[請求項1065]
その外面でボールを打つように構成された、フェース、
該フェースに接続されたボディであって、そのヒールの近くでシャフトの接続のために適合され、かつ該ヒールとは反対側にトウを有する、ボディ、ならびに
該フェースの内面から後方に延び、その中央縦軸が、該フェースの上寄りヒール四分円中に配置された第一の点と、該第一の点に対して該フェースの下寄りトウ四分円の近くに配置された第二の点との間に延びるように、該フェースの該内面を横切って延びる細長い補剛部材であって、局所的に増大した剛性を該フェースに提供する、細長い補剛部材
を含み、
該補剛部材が、囲い込まれた内部区域を包囲する環状リングを含み、該環状リングが該囲い込まれた内部区域よりも厚い、ゴルフクラブヘッド。
[請求項1066]
補剛部材が、環状リングと囲い込まれた内部区域との間に延びる傾斜した移行領域をさらに含む、請求項1065記載のゴルフクラブヘッド。
[請求項1067]
補剛部材が、環状リングと該環状リングに対して外の区域との間に延びる傾斜した移行領域をさらに含む、請求項1065記載のゴルフクラブヘッド。
[請求項1068]
囲い込まれた内部区域が環状リングに対して外の区域よりも厚い、請求項1067記載のゴルフクラブヘッド。
[請求項1069]
環状リングが楕円形または卵形である、請求項1065記載のゴルフクラブヘッド。
[請求項1070]
請求項1065記載のゴルフクラブヘッドおよび該ヘッドと係合したシャフトを含む、ゴルフクラブ。
[請求項1071]
その外面でボールを打つように構成された、フェース、
該フェースに接続されたボディであって、そのヒールの近くでシャフトの接続のために適合され、かつ該ヒールとは反対側にトウを有する、ボディ、
該フェースの内面から後方に延び、該フェースの該内面を横切って、該フェースの上寄りヒール四分円中に配置された第一の位置から、該第一の位置に対して該フェースの下寄りトウ四分円の近くに配置された第二の位置まで延びる第一の補剛部材であって、局所的に増大した剛性を該フェースに提供し、該ヒールに対面する湾曲面を含む、第一の補剛部材、および
該フェースの該内面から後方に延び、該フェースの該内面を横切って、該フェースの上寄りヒール四分円中に配置された第三の位置から、第四の位置まで延びる第二の補剛部材であって、該トウに対面する湾曲面を含む、第二の補剛部材
を含む、ゴルフクラブヘッド。
[請求項1072]
第一の補剛部材および第二の補剛部材の湾曲面が互いに対面して、該補剛部材の間に内部区域を画定している、請求項1071記載のゴルフクラブヘッド。
[請求項1073]
第一の補剛部材が、該第一の補剛部材の上面から内部区域まで延びる第一の傾斜した移行領域を含み、第二の補剛部材が、該第二の補剛部材の上面から該内部区域まで延びる第二の傾斜した移行領域を含む、請求項1072記載のゴルフクラブヘッド。
[請求項1074]
第一の補剛部材が、該第一の補剛部材の上面から該第一の補剛部材に対して外のかつ前記内部区域に対して外の区域まで延びる第三の傾斜した移行領域をさらに含み、第二の補剛部材が、該第二の補剛部材の上面から該第二の補剛部材に対して外のかつ前記内部区域に対して外の区域まで延びる第四の傾斜した移行領域をさらに含む、請求項1073記載のゴルフクラブヘッド。
[請求項1075]
第一および第二の補剛部材に対して外のかつ内部区域に対して外の区域が該内部区域よりも薄い、請求項1074記載のゴルフクラブヘッド。
[請求項1076]
第四の位置がフェースの下寄りトウ四分円中に配置されている、請求項1071記載のゴルフクラブヘッド。
[請求項1077]
第二の補剛部材が第一の補剛部材の鏡像である、請求項1071記載のゴルフクラブヘッド。
[請求項1078]
請求項1071記載のゴルフクラブヘッドおよび該ヘッドと係合したシャフトを含む、ゴルフクラブ。
【図面の簡単な説明】
【００２２】
本発明のより完全な理解を可能にするために、以下、添付図面を参照しながら本発明を実例として説明する。
【００２３】
【図１】本発明の打球装置のヘッドの一つの態様をボールとともに示す斜視図である。
【図２】破線で示す後方に延びる補剛部材を有する打球装置のフェースの第一の態様の正面図である。
【図３】図2の3−3線から見た図2のフェースおよび補剛部材の断面図である。
【図４】破線で示す補剛部材を有する打球装置のフェースの第二の態様の正面図である。
【図５】破線で示す補剛部材を有する打球装置のフェースの第三の態様の正面図である。
【図６】図5の6−6線から見た図5のフェースおよび補剛部材の断面図である。
【図７】打球装置のフェースの第四の態様の背面図である。
【図８】図7の8−8線から見た図7のフェースの断面図である。
【図９】図7の9−9線から見た図7のフェースの断面図である。
【図１０】打球装置のフェースの第五の態様の背面図である。
【図１１】打球装置のフェースの第六の態様の背面図である。
【図１２】打球装置のフェースの第七の態様の背面図である。
【図１３】打球装置のフェースの第八の態様の背面図である。
【図１４】図10のフェースの斜視断面図である。
【図１５】図11のフェースの斜視断面図である。
【図１６】図12のフェースの斜視断面図である。
【図１７】図13のフェースの斜視断面図である。
【図１８】打球装置のフェースの第九の態様の背面図である。
【図１９】図18のフェースの斜視断面図である。
【図２０】打球装置のフェースの第十の態様の背面図である。
【図２１】図20の21−21線から見た図20のフェースの部分断面図である。
【図２２】22Aおよび22Bは、打球装置のフェースの第十一の態様のそれぞれ背面図および断面図である。
【図２３】23Aおよび23Bは、打球装置のフェースの第十二の態様のそれぞれ背面図および断面図である。
【発明を実施するための形態】
【００２４】
詳細な説明
本発明の様々な例示的構造に関する以下の説明においては、本明細書の一部を形成し、本発明の局面を実施することができる様々な例示的装置、システムおよび環境が実例として示されている添付図面を参照する。本発明の範囲を逸脱することなく、パーツ、例示的装置、システムおよび環境の他の具体的配設を利用することができ、構造的および機能的変更を加えうることが理解されよう。また、本明細書においては、本発明の様々な例示的特徴および要素を説明するために「上」、「下」、「前」、「後」、「側方」、「後方」、「第一の」、「第二の」などの語が使用されることがあるが、これらの語は、本明細書中、たとえば図に示す例示的向きまたは通常の使用における向きに基づいて便宜上使用される。さらには、本明細書において使用される語「複数の」は、1を超える、分離したまたは連続した、必要ならば無限数までの任意の数を示す。本明細書におけるいかなる記載も、本発明の範囲に入るために構造の特定の三次元的向きを要するものと解釈されるべきではない。また、読者は、添付図面が必ずしも原寸に比例して描かれてはいないことに留意されたい。
【００２５】
本明細書においては以下の用語が使用されるが、特に断りない限り、または文脈から明らかでない限り、これらの用語は、以下に提供する意味を有する。
【００２６】
「打球装置」とは、ボールまたは他の類似物体（たとえばホッケーのパック）を打つように構築され、設計された任意の装置をいう。以下さらに詳細に説明する「打球ヘッド」を総称的に包含することに加えて、「打球装置」の例は、ゴルフクラブ、パター、クロケットのマレット、ポロのマレット、野球またはソフトボールのバット、クリケットのバット、テニスラケット、バドミントンラケット、フィールドホッケーのスティック、アイスホッケーのスティックなどを含むが、これらに限定されない。
【００２７】
「打球ヘッド」とは、「打球装置」のうち、使用中にボール（または他の物体）と接触するように設計された部分を含み、それに隣接する（場合によってはそれを包囲する）部分をいう。いくつかの例、たとえば多くのゴルフクラブおよびパターにおいて、打球ヘッドは、任意のシャフトまたはハンドル部材から切り離され、独立した実体であってもよいし、何らかのやり方でシャフトまたはハンドルに取り付けられてもよい。
【００２８】
用語「シャフト」および「ハンドル」は、本明細書においては同義かつ互換可能に使用され、打球装置のうち、打球装置のスイング時にユーザが保持する部分（あるならば）を含む。
【００２９】
「一体接合技術」とは、非限定的に、不可逆的接合技術、たとえば接着剤接合、セメンティング、溶接、ろう付け、はんだ付けなどをはじめとする、二つのピースをそれらが効果的に一つの一体化ピースになるような、二つのピースを接合するための技術をいう。「一体接合技術」によって形成された多くの結合においては、それに構造的損傷を加えない限り、接合されたピースの分離を達成することはできない。
【００３０】
「横向き」とは、垂直またはほぼ垂直な交差に限定されず、広くは、多様な斜角の交差を指す。
【００３１】
一般に、本発明の局面は、打球装置、たとえばゴルフクラブヘッド、ゴルフクラブ、パターヘッド、パターなどに関する。本発明の少なくともいくつかの例のそのような打球装置は、打球ヘッドおよび打球面を含みうる。ゴルフクラブの場合、打球面は、打球ヘッドの一面上の実質的に平坦な面を構成しうるが、いくらかの湾曲が提供されてもよい（たとえば「バルジ」または「ロール」特性）。本発明のいくつかのより具体的な局面は、ドライバ、フェアウェイウッド、ウッドタイプハイブリッドクラブなどを含むウッドタイプゴルフクラブおよびゴルフクラブヘッドに関するが、望むならば、本発明の局面は、アイアン、アイアンタイプハイブリッドクラブなどで実現されてもよい。
【００３２】
本発明の様々な局面にしたがって、本発明の範囲を逸脱することなく、打球装置は、多様な材料、たとえば金属（金属合金を含む）、セラミックス、ポリマー、複合材、繊維強化複合材および木の一つまたは複数で形成されてもよく、多様な構成の一つで形成されてもよい。一つの態様において、ヘッドのいくつかまたはすべてのコンポーネントは、フェースおよびヘッドのボディの少なくとも一部分を含め、金属材料でできている。ヘッドはまた、いくつかの異なる材料でできたコンポーネントを含みうることが理解されよう。さらには、コンポーネントは、様々な形成法によって形成しうる。たとえば、金属コンポーネント（たとえばチタン、アルミニウム、チタン合金、アルミニウム合金、鋼（たとえばステンレス鋼）など）は、鍛造、成形、鋳造、スタンピング、機械加工および／または他の公知の技術によって形成しうる。別の例において、複合コンポーネント、たとえば炭素繊維・ポリマー複合材は、多様な複合材加工技術、たとえばプレプレグ加工、パウダーベースの技術、型浸潤および／または他の公知の技術によって製造することができる。
【００３３】
本出願における様々な図面が本発明の打球装置およびその部分の例を示す。一つより多い図面で同じ参照番号が見られる場合、その参照番号は、本明細書および図面を通して同じまたは類似パーツを指すために一貫して使用される。
【００３４】
本発明の打球装置の少なくともいくつかの例は、ドライバを含むウッドタイプゴルフクラブのためのヘッドを含むゴルフクラブヘッド構造に関する。そのような装置はワンピース構造またはマルチピース構造を含みうる。本発明の打球装置の例示的構造は、以下、図1および2に関連して詳細に説明され、参照番号「100」を使用して一般に参照される。
【００３５】
図1は、本発明の少なくともいくつかの例の、ゴルフドライバの形態の打球装置100の例を示す。打球装置100は、打球ヘッド102および打球ヘッド102に接続され、そこから延びるシャフト104を含む。また、図1には、使用されるボール106が、打球装置100によって打たれる位置で示されている。
【００３６】
図1の打球装置100の打球ヘッド102は、ボディ108に接続されたフェース112を有し、ボディからホーゼル109が延びている。本発明を逸脱することなく、取り外し可能なヘッド／シャフト相互接続を含め、当技術分野において公知であり、かつ使用されているような従来のホーゼルおよび／またはヘッド／シャフト相互接続構造を含む任意の所望のホーゼルおよび／またはヘッド／シャフト相互接続構造を使用しうる。参照のために、ヘッド102は一般に、上部116、下部またはソール118、ホーゼル109に近接するヒール120、ホーゼル109から遠いトウ122、前面124および背面または後部126を有する。ヘッド102の形状および設計は、装置100の所期の用途によって部分的に決まることもある。図1および2に示すクラブ100において、クラブ100は、ボールを正確に遠くまで打つためのドライバまたはウッドタイプクラブとしての使用のために設計されているため、ヘッド102は相対的に大きな体積を有する。たとえば異なるタイプのゴルフクラブのための他の用途において、ヘッドは、異なる寸法および構成を有するように設計されてもよい。ドライバとして構成される場合、クラブヘッドは、少なくとも400cc、いくつかの構造においては少なくとも450ccまたは少なくとも460ccの体積を有してもよい。他のクラブヘッドの場合の他の適切なサイズは当業者によって容易に決定しうる。
【００３７】
図1に示す態様において、ヘッド102は、内部キャビティを画定する中空構造（たとえば、フェース112およびボディ108によって画定される）を有する。したがって、ヘッド102は、その中に画定された複数の内面を有する。一つの態様において、中空の中心キャビティは空気で満たされてもよい。しかし、他の態様において、ヘッド102は、別の材料、たとえばフォームで満たされることもできる。なおさらなる態様においては、ヘッドの固体材料が体積の比較的大きな割合を占めてもよく、ヘッドは、より小さなキャビティを有する、またはキャビティを全く有しなくてもよい。いくつかの態様において、内部キャビティは完全には囲い込まれなくてもよいことが理解されよう。
【００３８】
フェース112は、ヘッド102の前面124に位置し、その上に位置する打球面110を有する。打球面110は、使用中にボール106に対面するように構成され、たとえばスイングによって装置100が動かされたとき、ボール106を打つように適合されている。図示するように、打球面110はフェース112の大部分を占める。参照のために、フェース上縁113およびヘッド102のヒール120に近いフェース112の部分を「ハイヒール区域」160と呼び、フェース上縁113およびヘッド102のトウ122に近いフェース112の部分を「ハイトウ区域」162と呼び、フェース下縁115およびヘッド102のヒール120に近いフェース112の部分を「ロウヒール区域」164と呼び、フェース下縁115およびヘッド102のトウ122に近いフェース112の部分を「ロウトウ区域」166と呼ぶ。概念的に、これらの区域160〜166は、実質的に等しいサイズの四分円（および／またはフェース112の幾何学的中心から延びる四分円）と認識しうるが、必ずしも対称な寸法を有するわけではない。フェース112は、当技術分野において公知であり、かつ一般的であるように、上下方向および／またはヒール−トウ方向にいくらかの湾曲（たとえばバルジおよびロール特性）を含みうる。他の態様においては、打球面110がフェース112の異なる割合を占めてもよく、ボディ108が、その上に多数の打球面110を有してもよい。図1に示す態様において、打球面110はわずかに傾斜して（すなわちロフト角を有して）、打ったときにボール106にわずかなリフトおよび／またはスピンを加える。他の態様において、打球面110は、ボール106の弾道に影響するための異なる傾斜またはロフト角を有してもよい。さらには、いくつかの態様において、フェース112は、一つまたは複数の内部または外部インサートを有してもよい。
【００３９】
フェース112、ボディ108および／またはホーゼル109は、単一のピースとして形成されることもできるし、または接合される別々のピースとして形成されることもできることが理解されよう。一つの態様において、フェース112は、たとえば図10〜21に示すような、フェース内面114の縁127から壁125が後方に延びるカップフェース構造から形成されている。ボディ108は、一体接合技術、たとえば溶接、セメンティングまたは接着剤接合によってカップフェースの壁125に接合された別々のピースとして形成されることができる。これらのパーツを接合するための他の公知の技術を、取り外し可能な機械的係合技術を含む多くの機械的接合技術を含め、同様に使用することもできる。望むならば、ホーゼル109がカップフェースの一部として一体に形成されてもよい。
【００４０】
打球装置100は、図1に示すように、打球ヘッド102に接続または他のやり方で係合したシャフト104を含みうる。シャフト104は、打球装置100をスイングしてボール106を打つためにユーザによって把持されるように適合されている。シャフト104は、図1に示すように、たとえばホーゼル109に接続することによってヘッド102に接続された別個のピースとして形成されることができる。他の態様においては、シャフト104の少なくとも一部分がヘッド102と一体のピースであってもよいし、および／またはヘッド102は、ホーゼル109を含まなくてもよいし、または内部ホーゼル構造を含んでもよい。本発明の範囲を逸脱することなく、なおさらなる態様が企図される。シャフト104は、金属、セラミックス、ポリマー、複合材または木を含む多様な材料の一つまたは複数から構築されうる。いくつかの例示的態様において、シャフト104または少なくともその部分は、金属、たとえばステンレス鋼または複合材、たとえば炭素／グラファイト繊維・ポリマー複合材で構築されてもよい。しかし、本発明の範囲を逸脱することなく、シャフト104は、当技術分野において公知であり、かつ使用されている従来の材料を含む様々な材料で構築されうることが企図される。
【００４１】
一般に、打球装置100のヘッド102は、増大した剛性をフェース112の特定の区域または部分に提供するための、フェース112の内面114から後方に延びる一つまたは複数の補剛部材を有する。図2〜23Bは、異なる数および構成の補剛部材を有する打球面200、300、400、500、600、700、800、900、1000、1100の様々な態様を示す。これらの構成それぞれが、図1に示すような打球装置100または本発明の範囲内の打球装置のための様々な他の構成のフェース112として使用されることができる。したがって、以下に記す、フェース112およびフェース200（以下参照）の共通の特徴は、図1のフェース112を説明するために使用されたものと共通の参照番号で参照する。
【００４２】
図2〜6は、フェース200の内面114から離間し、フェース200の少なくとも一部分を横切って延びる補剛部材202、204、206を有する打球面200の態様を示す。これらの態様それぞれにおいて、補剛部材202、204、206は、それぞれが接触点212でフェース200の内面114に取り付けられた複数の脚部210および脚部210の間に延びるアーム214を有する。脚部210は、アーム214が内面114から離間するように、フェース200の内面114に対して実質的に垂直に離れて延びる（他の角度の延びも可能である）。フェース内面114への脚部210の接続は、多様な方法によって実施することができる。一つの態様において、脚部210は、溶接または他の一体接合技術によって内面114に接続することができ、他の態様において、補剛部材202、204、206は、フェース200と単一の一体ピースとして形成されてもよく、あるいはファスナ、接着剤または非一体接合技術によって接合されてもよい。補剛部材202、204、206は、接触点212から離れて位置するフェース200の他の区域に比べて局所的に増大した剛性を、接触点212を包囲するフェース200の区域216に提供する。
【００４３】
図2および3に示す態様において、補剛部材202は、フェース200のハイヒール区域160からロウトウ区域166に向かう方向にフェース200の一部分を斜めに横切って延びる。この例示的な補剛部材202は、フェース110と二つの接触点212を有し、一方の接触点212Aはフェース200のハイヒール区域160に位置し、他方の接触点212Bはフェース200のロウトウ区域166に位置している。アーム214は、接触点212に提供された脚部210の間に延びる棒の形態をとる。この構成において、補剛部材202は、局所的に増大した剛性をフェース200のハイヒールおよびロウトウ区域160、166に提供する（そして、比較的局所的に増大した可撓性の区域をロウヒール区域162およびハイトウ区域164、たとえば多くのゴルファーがボールと接触する傾向にあるフェース110の区域に提供する）。
【００４４】
接触点212Aおよび212Bは、任意の所望の距離だけ離れて位置してもよい。いくつかのより具体的な例として、接触点212Aおよび212Bは、0.5〜4.5インチ離れて、いくつかの例においては0.75〜4インチ離れて、1〜3.5インチ離れて、またはさらに1.25〜3インチ離れて位置してもよい。また、水平方向に対するアーム214の角度α（クラブがボールアドレス位置にあるとき）は、10°〜80°、いくつかの例示的構造においては20°〜70°またはさらに30°〜60°であってもよい。
【００４５】
図4に示す態様において、補剛部材204は、図2および3の補剛部材202に類似しているが、反対の向きに配置されている。この例示的構造における補剛部材204は、フェース200のロウヒール区域からハイトウ区域に向かう方向にフェース200の一部分を斜めに横切って延びる。この例示的補剛部材204は二つの接触点212を有し、一方の接触点212Cがフェース200のハイトウ区域162に位置し、他方の接触点212Dがフェース200のロウヒール区域164に位置している。この構成において、補剛部材204は、局所的に増大した剛性をフェース200のハイトウおよびロウヒール区域162、164に提供する（そして、比較的局所的に増大した可撓性の区域をフェース110のハイヒール区域160およびロウトウ区域166に提供する）。補剛部材204は、図2および3に関連して先に記した補剛部材202のサイズ、相対的配置／および／または角度特性を有しうる。
【００４６】
図5および6に示す態様において、補剛部材206は、Y字形構造を有し、フェース200の一部分を横切って延びる。この補剛部材206は三つの接触点212を有し、一つの接触点212Eがハイヒール区域160に位置し、第二の接触点212Fがハイトウ区域166に位置し、第三の接触点212Gがフェース200のロウセンターの近くに位置している。アーム214は、接触点212の間に延びるY字形の棒の形態をとる。この構成において、補剛部材206は、局所的に増大した剛性をフェース200のハイヒールおよびハイトウ区域160、162ならびにフェース200の中央に提供する（そして、比較的局所的に増大した可撓性をフェースの他の区域に提供する）。Y字形の補剛部材206は、局所的に増大した補剛をフェース200の他の部分に提供するために異なる向きを有してもよい、たとえば、図5に示すような補剛部材206に対して反転または回転した、および／またはトウもしくはヒールに向けてシフトされた構成であってもよいということが理解されよう。本発明を逸脱することなく、Y構造の様々なアームは、同じまたは異なる長さを有してもよく、中央区域から一貫した角度または異なる角度で延びてもよい。
【００４７】
図2、4および5に示す態様において、補剛部材202、204、206の脚部210は、断面が長円形または卵形であり、補剛部材202、204、206とフェース200との間の接触点212もまた長円形または卵形である。しかし、補剛部材202、204、206は、異なる断面を有してもよく、その長手沿いの異なる部分で断面が変化してもよいことが理解されよう。また、補剛部材202、204、206のアーム部分210が接触点212を超えて、たとえばカンチレバー配設で延びうる、または打球面200の後部の中に延びうることが理解されよう。他の態様において、補剛部材は、異なる形状の構成（たとえばX字形、正方形、菱形など）を有してもよい。そのような態様において、補剛部材は、異なる数の接触点を有してもよい。さらなる態様において、フェース200は、補剛部材202、204、206に類似しうる多数の補剛部材を有してもよいし、別の構成、たとえば以下に記す補剛部材を有してもよい。
【００４８】
図7〜9は、フェース300の内面114上に放射状に延びる形に配設された複数の相互接続された補剛部材302、304、306を有する打球装置のフェース300の別の態様を示す。図示される態様において、補剛部材302、304、306は、たとえばフェース300と一体に形成されることにより、または一体接合技術によって接続されることにより、フェース300に一体に接続されている。他の態様において、補剛部材302、304、306はフェース300に一体に接続されなくてもよいことが理解される。図7〜9に示す構成において、第一の補剛部材302は、フェース300の内面114上の第一の点310から第二の点312までハイヒール−ロウトウ方向に延びている。この例示的構造300において、第一の点310はフェースのハイヒール区域160中に位置し、第二の点312はロウトウ区域166中に位置し、第一の補剛部材302はフェース300の水平方向および垂直方向の両中心線をほぼ横切って延びるが、フェース300の縁までは延びない。しかし、他の態様においては、これは当てはまらないかもしれず、第一の補剛部材302は異なるふうに配設されてもよい。たとえば、第一の補剛部材302は、ハイトウ−ロウヒール方向に延びてもよく、その大部分または全部分がフェース300の半分または一四分円上に配置されてもよいし、配置されなくてもよい。第一の補剛部材302の中心は、水平方向および／または垂直方向にシフトされてもよい。
【００４９】
この例示的構造300においては、複数の第二の補剛部材304が第一の補剛部材302の近くに配設されて、第一の補剛部材302、および第二の補剛部材304が中心点308から放射状に延びるようになっている。中心点308は、図示される態様においては第一の補剛部材302の中心の近くに位置するが、望むならば、フェース300の幾何学的中心に位置してもよい（オフセンター位置も可能である）。また、ディスク形状の中央補剛部材306が点308を中心に配置されている。一般に、第一の補剛部材302は、他の補剛部材304、306よりも大きな程度の局所的に増大した剛性を提供しうる。図7〜9に見られるように、第二の部材304および中央部材306は同程度の厚さを有し、第一の補剛部材302は、他の補剛部材304、306に比べてより大きな厚さを有する。さらには、図示される例示的構造300において、第一の補剛部材302は、第二の補剛部材304に比べてより大きな幅を有する。この態様において、第一の部材302およびその周囲の区域の増大した剛性はその増大した厚さおよび幅から生じる。別の態様において、第一の補剛部材302は、別の機構により、たとえばより大きな降伏強さまたは低下した可撓性を有することにより、増大した剛性を生じさせうる。そのような性質は、たとえば、補強技術により、または第一の補剛部材302のための異なる材料を使用することにより、達成されうる。
【００５０】
望むならば、第一の補剛部材302および／または第二の補剛部材304および／または306のいずれかが中心点308から偏っていてもよい。追加的または代替的に、望むならば、補剛部材全体は、図7に示すほぼ対称な構造を有する必要はない。たとえば、中央の補剛部材306は円形である必要はないし、および／または様々な補剛部材脚部は整列している必要はないし、および／または同じ長さである必要もない。
【００５１】
補剛部材は任意の所望の寸法を有してもよく、望むならば、第二の補剛部材304および／または306は、厚さ約0.1〜2mm、場合によっては厚さ約0.25〜1.75mmまたは厚さ0.5〜1.5mmであってもよい。第一の補剛部材302は、厚さが20〜200％増、たとえば厚さ0.12〜6mm、いくつかの例においては厚さ0.25〜5mmまたはさらに厚さ0.5〜4mmであってもよい。この「厚さ」は、補剛部材がフェース300の内面114から離れて延びる距離として計測される。補剛部材302、304および／または306を合わせた全面積は、フェースの内表面積の5〜50％、いくつかの態様においてはこの内表面積の10〜40％またはさらに15〜30％を占めてもよい。
【００５２】
図10〜17は、本発明の例の複数の補剛部材を含む打球面400、500、600、700のさらなる態様を示す。これらの態様において、フェース400、500、600、700は、打球装置を形成するための上記のように一つまたは複数のボディ部材（たとえばボディ108）に接続されるように適合されたカップフェース構造の一部として示されている。カップフェース構造は、フェース400、500、600、700の周縁127から後方に、フェース400、500、600、700に対してほぼ横向きに延びる壁125（「返し部分」とも呼ばれる）を含む。本発明を逸脱することなく、フェース400（以下参照）の内面および／または可変面の厚さ特徴は、他のタイプのフェース構成において使用することができることが理解されよう。
【００５３】
図10〜17に示すフェース400（以下参照）それぞれは、フェース400（以下参照）の内面114から後方に延び、局所的に増大した剛性をフェース400（以下参照）の周囲区域に提供する第一の補剛部材402、502、602、702および複数の第二の補剛部材404、504、604、704を含む。一般に、各態様の第一の補剛部材402、502、602、702は、第二の補剛部材404、504、604、704それぞれよりも大きな程度の局所的に増大した剛性をフェース400（以下参照）に提供する。これら四つの例示的態様の第一の補剛部材402、502、602、702は実質的に同じであり、以下、図10および14に示すフェース400の第一の補剛部材402を参照して説明する。図11〜13および15〜17のフェース500、600、700の第一の補剛部材502、602、702は、「500」、「600」および「700」番代の参照番号を使用してそれぞれ同様に参照される類似した特徴を含むということが理解されよう。同様に、図20および21に示すフェース900の態様もまた、類似した第一の補剛部材902を含み、図20および21の第一の補剛部材902の特徴は、「900」番代の参照番号を使用して同様に参照される。これらのフェース400（以下参照）の第二の補剛部材404、504、604、704は、異なるふうに構成されており、以下、各態様を参照して個々に説明する。図示される態様において、補剛部材402、404、502、504、602、604、702、704は、たとえばフェース400（以下参照）と一体に形成されることにより、または一体接合技術によって接続されることにより、フェース400（以下参照）に一体に接続されている。しかし、他の態様において、補剛部材402、404、502、504、602、604、702、704は、フェース400（以下参照）に一体に接続されなくてもよいということが理解されよう。そのうえ、所与のフェース構造において、様々な補剛部材は、共通のやり方で構造化、寸法決定またはフェースに接続される必要はない。望むならば、第一の補剛部材は、第二の補剛部材よりも25〜300％厚い、いくつかの例においては50〜200％厚い、またはさらに75〜150％厚い（フェースの背面114から計測して）、たとえば厚さ0.5〜8mmであってもよい。
【００５４】
一般に、図10および14に示す第一の補剛部材402は、フェース400の内面114を斜めに横切ってハイヒール−ロウトウ方向にフェース400の内面114上の第一の点410から第二の点412まで延び、第二の点412は、第一の点410に比べてフェース400の下部115およびトウ122の近くに位置している。この態様において、第一の点410はフェースのハイヒール区域160に位置し、第二の点412はロウトウ区域166に位置し、第一の補剛部材402は、フェース400の水平方向および垂直方向の両中心線を横切ってフェース400の縁127まで延びている。しかし、他の態様において、これは当てはまらないかもしれず、第一の補剛部材402は異なるふうに配設されてもよい（たとえば、ヒールまたはトウの方向にシフトされる、縦方向に長くない、水平方向から任意の所望の方向に傾斜している、など）。いくつかのさらなる例として、第一の補剛部材402は、ハイトウ−ロウヒール方向に延びてもよく、および／または大部分または全部分がフェース400の半分または一四分円中に配置されてもよい。さらには、この態様において、第一の補剛部材402は、内面114に対して横向きにカップフェース構造の壁125に沿って延びる横向きコンポーネント414を両端に有する（望むならば、これらの横向きコンポーネント414は省いてもよい）。
【００５５】
この例示的な第一の補剛部材402は、その中心416における幅よりも大きい、その端部（たとえば第一の点410および第二の点412の近く）における幅を有する、テーパまたは湾曲する構成を有する。この態様において、第一の補剛部材402は、第一および第二の点410、412を通過する仮想伸長線（たとえば中央縦軸）に沿って細長く、第一の補剛部材402の幅は、第一の補剛部材402の縦軸の方向に対してほぼ垂直に計測した場合、テーパまたは湾曲している。図10および14に示す第一の補剛部材402は、凹形にテーパまたは湾曲しており、中心416に向かって内にテーパする凹形の曲線状の縁418によって両側を画定されている。この態様において、第一の補剛部材402はまた、部材402の隣接区域に比べて減少した厚さの区域または部材402を完全に通過して延びる開口でありうる、ギャップまたは凹部420を両側に含む。図10および14に示すギャップ420の形状は、ギャップ420によって分けられた第一の点410および第二の点412の近くで分岐したのち、第一の補剛部材402の中心416で集合する二つの曲線状のリブ422によって画定されるX字形を第一の補剛部材402に与える。端部の近くの第一の補剛部材402の増大した幅により、この構成における部材402は、その中央416におけるよりも大きな、局所的に増大した剛性および／または剛性が局所的に増大した、より大きな区域を第一の補剛部材402の端部の近くに提供することができる。図10および14に示すように、第一の補剛部材402の面積の多くまたは大部分はフェース400のハイヒール区域160およびロウトウ区域166（たとえばフェース400のハイヒールおよびロウトウ四分円中）に位置し、したがって、第一の補剛部材402は、その強化され、かつ増大した剛性の最大の割合をフェース400のハイヒールおよびロウトウ区域160、166中に提供する。したがって、このフェース400は、多くのゴルファーがボールと接触する傾向にある区域であるクラブヘッドのハイトウおよびロウヒール四分円中で、いくぶん、より可撓性になる傾向を有する。望むならば、第一の補剛部材402は、フェース400の内表面積の約5〜30％、いくつかの例においてはこの面積の5〜25％を占めてもよい。
【００５６】
図10および14の態様の第二の補剛部材404は、フェース400の内面114上に交差パターンに配設された実質的に直線状のリブの形態をとる。この図示される例示的構造における第二の補剛部材404によって形成されるパターンは、第二の補剛部材404の間に複数の三角形の凹部またはトラフ424を画定する。さらには、第二の補剛部材404は、複数の相互接続された放射状に延びる形426を形成するように配設され、各放射状に延びる形426の第二の補剛部材404が中心点428から放射状に延びている。三角形の凹部424もまた中心点428から放射状に延びている。この例示的構造400における各中心点428は、フェース400の水平方向中心線の近くに配置されているが、望むならば、いくつかは中心線よりもわずかに上に配置されてもよく（たとえばフェースのハイトウ区域162中）、いくつかは中心線よりもわずかに下に配置されてもよい（たとえばフェースのロウヒール区域164中）。この態様の第二の補剛部材404はさらに、内面114に対して横向きにカップフェース構造の壁125に沿って延びる横向きコンポーネント430をフェース400の縁127に含むが、これらの横向きコンポーネント430は提供されなくてもよい。第二の補剛部材404は、局所的に増大した剛性を、中心点428を中心としたフェースの周囲区域に提供する。この態様において、第一の補剛部材402によって提供される局所的に増大した剛性は、第二の補剛部材404によって提供される局所的に増大した剛性よりも大きい。第二の補剛部材404は、存在する場合、フェースの内表面積の1〜25％、いくつかの例においては2〜20％またはさらに4〜15％を占めてもよい。
【００５７】
図11および15は、第一の補剛部材502が上記のような図10および14の第一の補剛部材402に類似している、打球面500の別の態様を示す。図11および15において、第二の補剛部材504は、二つの放射状に延びる形526を形成するように配設された実質的に直線状のリブの形態をとり、各放射状に延びる形526の第二の補剛部材504が中心点528から放射状に延びている。この例示的構造500における中心点528の一つは、フェース500のハイトウ区域162に配置され、他方の中心点528はフェース500のロウヒール区域164に配置されている（ただし他の配設が可能である）。さらには、円板形の補剛部材504Aが各中心点528を中心に配置されて、他の第二の補剛部材504が円形の補剛部材504Aの縁から延びている。第二の補剛部材504のこの構成は、第二の補剛部材504の間に複数の実質的に三角形またはくさび形の凹部またはトラフ524を生じさせる。これらのくさび形の凹部524もまた、中心点528から放射状に延びている。この態様の第二の補剛部材504はさらに、内面114に対して横向きにカップフェース構造の壁125に沿って延びる横向きコンポーネント530をフェース500の縁127に含む（ただし、望むならば、横向きコンポーネント530は省いてもよい）。第二の補剛部材504は、局所的に増大した剛性を、点528を中心としたフェースの周囲区域に提供する。この態様において、第一の補剛部材502によって提供される局所的に増大した剛性は、第二の補剛部材504によって提供される局所的に増大した剛性よりも大きい。
【００５８】
本発明を逸脱することなく、たとえば1〜5を含む任意の数の、放射状に延びる形526が提供されうる。放射状に延びる形526は、たとえば、フェースの内表面積の1〜25％、いくつかの例においては内面表面積の2〜20％またはさらに4〜15％を覆いうる。
【００５９】
図12および16は、第一の補剛部材602が上記のような図10および14の第一の補剛部材402に類似している打球面600の別の態様を示す。図12および16の第二の補剛部材604は、図10および14の第二の補剛部材404とはほぼ逆の関係で配設されている。図12および16に示すように、第二の補剛部材604は、実質的に直線状の凹部またはトラフ624の交差パターンをそれらの間に形成するように配設された複数の三角形またはくさび形の補剛部材604として形成されている。さらには、第二の補剛部材604は、複数の放射状に延びる形626を形成するように配設されて、各放射状に延びる形の第二の補剛部材604が、中心点628から放射状に延びている。直線状の凹部624もまた中心点628から放射状に延びている。各中心点628は、フェース600の水平方向中心線の近くに配置されているが、いくつかは中心線よりもわずかに上に配置されてもよく（たとえばフェースのハイトウ区域162中）、いくつかは中心線よりもわずかに下に配置されてもよい（たとえばフェースのロウヒール区域164中）。第二の補剛部材604は、局所的に増大した剛性を、中心点628を中心としたフェースの周囲区域に提供する。この態様において、第一の補剛部材602によって提供される局所的に増大した剛性は、第二の補剛部材604によって提供される局所的に増大した剛性よりも大きい。第二の補剛部材604は、存在する場合、フェースの内表面積の25％〜80％、いくつかの例においては50〜75％を占めてもよい。
【００６０】
図13および17は、第一の補剛部材702が上記のような図10および14の第一の補剛部材402に類似している打球面700の別の態様を示す。図13および17の第二の補剛部材704は、図11および15の第二の補剛部材504とはほぼ逆の関係で配設されている。図13および17に示すように、第二の補剛部材704は、二つの放射状に延びる形726を形成するように配設された複数の実質的に三角形またはくさび形の補剛部材704として形成されて、各放射状に延びる形726の第二の補剛部材704が中心点728から放射状に延びている。第二の補剛部材704もまた、実質的に直線状の凹部またはトラフ724をそれらの間に形成し、同じく実質的に直線状の凹部724が中心点728から放射状に延びている。中心点728の一方はフェース700のハイトウ区域162に配置され、他方の中心点728はフェース700のロウヒール区域164に配置されている（ただし他の配設が可能である）。さらには、円板形の凹部724Aが各中心点728を中心に配置されて、他の凹部724が円形の凹部724Aの縁まで延びている。第二の補剛部材704は、局所的に増大した剛性を、中心点728を中心としたフェースの周囲区域に提供する。この態様において、第一の補剛部材702によって提供される局所的に増大した剛性は、第二の補剛部材704によって提供される局所的に増大した剛性よりも大きい。図11および15の場合と同じく、たとえば1〜5の任意の数の、放射状に延びる形726が提供されうる。放射状に延びる形726を画定する凹部は、たとえば、フェースの内表面積の1〜25％、いくつかの例においては内表面積の2〜20％またはさらに4〜15％を覆いうる。
【００６１】
図18および19は、フェース800の内面114から後方に延び、フェース800を横切って第一の点810と第二の点812との間に延びる中央縦軸を有する補剛部材802を有する打球面800の別の態様を示す。一般に、補剛部材802は、フェース800の内面114を斜めに横切って、たとえばハイヒール−ロウトウ方向に延びて、第二の点812が、第一の点810に比べてフェース800の下部115およびトウ122の近くに位置している。図18および19に示す態様において、第一の点810は、シャフト接続区域に近いフェース800のハイヒール区域160に位置し、第二の点812はロウトウ区域166に位置し、補剛部材802は、フェース800の水平方向および垂直方向の両中心線をほぼ横切ってフェース800の縁127まで延びている。しかし、他の態様において、これは当てはまらないかもしれず、補剛部材802は異なるふうに配設されてもよい。たとえば、補剛部材802は、ハイトウ−ロウヒール方向に延びてもよいし、および／または大部分または全部分がフェース800の半分または一四分円中に配置されてもよい。さらには、この態様において、補剛部材802は、第一の点810および／または第二の点812の近くで最小であり、補剛部材802の中間点または中心816の近くで最大である厚さを有する凸形の厚さ分布を有する。
【００６２】
この例示的構造800の補剛部材802は、補剛部材802の中心816よりもその端部（たとえば第一の点810および第二の点812の近く）でより大きな幅を有する、テーパまたは湾曲する構成を有する。この態様において、補剛部材802は、第一および第二の点810、812を通過する中央縦軸に沿って細長く、補剛部材802の幅は、補剛部材802の伸長の方向に対してほぼ垂直に（たとえばその縦軸に対して垂直に）計測した場合、テーパまたは湾曲している。図18および19に示す補剛部材802は、凹形に湾曲するようにテーパし、中心816に向かって内にテーパする凹形の曲線状の縁818によって両側を画定されている。端部の近くの補剛部材802の増大した幅により、この構成における部材802は、その中心816における剛性よりも大きな、局所的に増大した剛性および／または剛性が局所的に増大した、より大きな区域を補剛部材802の端部の近くに提供することができる。図18〜19に示すように、第一の補剛部材802の区域の多くまたは大部分はフェース800のハイヒール四分円およびロウトウ四分円中に位置し、したがって、第一の補剛部材802は、その強化され、かつ増大した剛性の最大の割合をフェース800のハイヒールおよびロウトウ区域160、166中に提供する。この例示的構造800の第一の補剛部材802は、フェースの内面の表面積の5〜50％、いくつかの例においては内表面積の10〜45％またはさらに15〜40％を覆いうる。第一の補剛部材802は、フェースの内面から0.25〜8mm、いくつかの例においては0.5〜6mmまたはさらに0.75〜5mm延びてもよい。
【００６３】
図18〜19に示す態様において、フェース800の内面114は、補剛部材802の各側に位置する二つの凹部840、844を有する。第一の凹部840は補剛部材802の一方の側842に位置し、第二の凹部844は補剛部材802の反対側846に位置する。各凹部840、844は、端部で最大であり（すなわち、凹部840、844がそれぞれ第一の点810および第二の点812に近づくにつれ）、凹部840、844の中心の近くで（たとえば、補剛部材802の中心816の近くで）最小であるフェース厚を有する、凹形の厚さ分布を有する。したがって、凹部840、844および補剛部材802は反対の厚さ分布を有し、凹部840、844は、それらの最小フェース厚（概ね点847、たとえば、場合によっては個々の凹部840、844の幾何学的中心にある）が補剛部材802の最大フェース厚の地点（概ね点849にある）に隣接している。他の態様において、これらの厚さ分布は異なっていてもよく、逆にしてもよく、その場合、補剛部材が凹形の分布を有し、フェースの隣接部分が凸形の分布を有する。さらには、この図示される例示的構造における各凹部840、844は、凹部840、844をフェース800の縁125および補剛部材802から切り離す境界凹部848によって包囲され、かつ画定されている。結果として、凹部840、844は、（第一の）補剛部材802の両側に位置し、第一の補剛部材802とは異なる、または反対である厚さ分布を有する第二の補剛部材とみなしうる。この図示される例示的構造800において、ロウヒール区域164およびハイトウ区域162は、ハイヒール区域160およびロウトウ区域166に比べて増大した可撓性を有する傾向にある。
【００６４】
図20および21は、第一の補剛部材902が上記、図10および14の第一の補剛部材402に類似している（そして、同じ厚さ、角度、向き、被覆表面積、ならびに図10および14に関して先に記した他の特徴を有しうる）打球面900の別の態様を示す。この例示的なフェース900はまた、その内面114上に形成された模様付きまたは歯状構造を有している。図20および21に示す態様において、模様付き構造は、内面114上に水平方向または垂直方向に配設されて二次元格子構造を形成する、複数の実質的に直線状の隆起したリブまたは第二の補剛部材904によって形成される。隆起したリブ904はそれらの間にくぼみ950を画定し、格子構造はフェース900の内面114にくぼみ950の行および列を形成している。図21に示すように、リブ904の上昇および下降する側面952は、くぼみ950が逆角錐形に形成されるように傾斜している。図示される態様において、模様付き構造は補剛部材902の両側954、956に形成されて、フェース900の内面114の、第一の補剛部材902によって占められる部分を除く全部が模様付き構造によって覆われるようになっている。しかし、他の態様において、内面114のより大きいまたは小さい部分（たとえば50％まで、60％まで、75％まで、またはそれ以上）が模様付き構造によって占められてもよいことが理解されよう。この態様において、模様付き構造は、増大した剛性、ただし、補剛部材902に対応する位置における局所的に増大した剛性よりも低い剛性をフェース900の占められた区域に提供する。他の態様において、フェース900は、格子パターンに形成されてもされなくてもよいし、および／または逆角錐の形状にあってもそうでなくてもよい、異なる模様付き構造を有しうる。一つの特定のそのような態様において、構造は、図20および21の構造とは逆であって、水平方向および垂直方向の直線状の凹部の格子によって分けられる、複数の角錐形のリブまたは突出部を有する。さらに別の態様において、リブは省かれてもよく、逆角錐形凹部の側壁が上に延びて角錐形突出部の側壁を形成する。
【００６５】
図22Aおよび22Bは、本発明の例の別のゴルフクラブフェース構造1000を示す。図示するように、伸長した補剛部材1002がフェース1000の内面1004から後方に、補剛部材1002の中央縦軸が第一の点1006と第二の点1008との間に延びるようにフェース1000の内面1004を横切って延びている。この例示的構造1000における第一の点1006はフェース1000の上寄りヒール四分円中に配置され、第二の点1008は、第一の点1006からフェース1000の下寄りトウ四分円中またはその近くに配置されている。上記と同様にして、補剛部材1002は、局所的に増大した剛性をフェース1000に提供する。補剛部材1002は、フェース1000の一部として一体に形成されてもよく、またはフェース1000と係合した別個の要素であってもよい。
【００６６】
この図示される例示的構造1000において、補剛部材1002は、囲い込まれた内部区域1012を包囲する環状リング1010を含む。本発明を逸脱することなく、環状リング1010は、たとえば円形、卵形、楕円形、多角形（たとえば3〜30の面を有する）などを含む任意の所望の形状でありうる。リング1010の全幅Wは、一定であってもよく、その周方向長手にわたっていくぶん変化してもよい（たとえば、幅1mm〜10mm、いくつかの例においては幅2mm〜8mmの範囲（たとえば、フェースに対してほぼ平行な方向で）。
【００６７】
本発明を逸脱することなく、フェース1000の様々なパーツは任意の所望の厚さを有してもよい（フェース1000の背面1004から離れる方向に）。図示される態様において、環状リング1010のもっとも厚い部分は厚さ約4mmであってもよく、内部区域1012は厚さ約2.7mmであってもよい。環状リング1010の周囲かつ外側の区域1014は、この図示される態様においては厚さ約2.3mmでありうる。さらには、この図示される補剛部材1002は、たとえば環状リング1010の上面1010aと内部区域1012との間で傾斜する第一の移行領域1016、およびたとえば上面1010aと外部区域1014との間で傾斜する第二の移行領域1018を含む。図示される移行領域1016および1018は、実質的にまっすぐな傾斜領域であるが（図22Bを参照）、本発明を逸脱することなく、これらの領域1016および1018は、段を有する、異なる比率または角度で、段または傾斜を有する、湾曲している、などでありうる。
【００６８】
上記具体的な寸法および特性は単なる例である。本発明の少なくともいくつかの例にしたがって、環状リング1010は、囲い込まれた内部区域1012よりも厚く、囲い込まれた内部区域1012は、外部区域1014よりも厚い、またはそれと同じ厚さであってもよい。また、これらの様々な区域1010、1012および1014の厚さは、それぞれの区域の全範囲にわたって一定、実質的に一定または可変性でありうる。いくつかのより具体的な例として、環状リング1010は、厚さ2〜8mm、いくつかの例においては厚さ2.5〜6mmであってもよく、内部区域1012は、厚さ1〜6mm、いくつかの例においては厚さ1.5〜4mmであってもよく、外部区域1014は、厚さ1〜6mm、いくつかの例においては厚さ1.5〜4mmであってもよい。これらの厚さは、指定された位置におけるフェースの全厚さとして計測される。
【００６９】
本発明を逸脱することなく、様々な区域1010、1012、1014、1016および1018が、フェースの全表面積の任意の所望の割合を占めてもよい。以下の表は、これらの様々な区域の表面積のいくつかの可能な範囲を提示する。
0005601726.tif 000002
【００７０】
フェース全体は、任意の所望の面積を有してよく、ドライバの場合、この面積は、少なくとも約4.8in2、いくつかの例においては4.8in2〜10in2の範囲、いくつかの例においては5in2〜8in2でありうる。
【００７１】
本発明を逸脱することなく、補剛部材1002は、任意の所望の縦方向の長さL（たとえば、第一の点1006から第二の点1008まで）を有してもよく、ゴルフクラブフェース1000上の任意の所望の位置に配置されてもよい。図示される例示的構造1000は、上寄りヒール四分円から下寄りトウ四分円またはそれに向かって斜め方向に延びる補剛部材1002を示すが、下寄りヒール四分円から上寄りトウ四分円までを含む他の配設が可能である。また、補剛部材1002は、図22Aに示すよりもヒール寄りまたはトウ寄りを含め、フェースに沿ってヒール−トウ方向の任意の所望の位置に配置されうる。本発明を逸脱することなく、補剛部材1002はまた、たとえば水平から10〜80°、いくつかの例においては水平から20〜70°またはさらに水平から30〜60°の角度を含む任意の所望の角度で延びてもよい。また、補剛部材1002は、フェース1000の上面からフェース1000の下面まで完全には延びなくてもよいが、望むならば、この距離全部に延びてもよい。いくつかの例示的構造において、補剛部材1002は、フェース1000の上面からフェース1000の下面までの距離の50〜100％に延び、この距離の60〜95％またはさらに70〜90％に及びうる。
【００７２】
図23Aおよび23Bは、本発明のさらに別の例示的フェース部材1100を示す。この図示されるフェース部材1100において、補剛部材全体は、図22Aおよび22Bに示すものに類似した形状であるが、二つの別々の部分、すなわち、第一の補剛部材1102aおよび第二の補剛部材1102bでできている。第一の補剛部材1102aは、フェース1100の内面1104から後方にフェース1100の内面1104を横切って第一の位置1106aから第二の位置1108aまで延びている。第一の位置1106aはフェース1100の上寄りヒール四分円中に配置され、第二の位置1108aは第一の位置1106aからフェース1100の下寄りトウ四分円中またはその近くに配置されている。図示するように、第一の補剛部材1102aは、上面1110aおよびクラブのヒールに対面する内に湾曲する面1150aを含む。さらには、この例示的構造1100において、第二の補剛部材1102bは、フェース1100の内面1104から後方にフェース1100の内面1104を横切って第三の位置1106bから第四の位置1108bまで延びている。第三の位置1106bはフェース1106bの上寄りヒール四分円中に配置され、第四の位置1108bは、たとえば、下寄りトウまたは下寄りヒール四分円中に位置しうる。第二の補剛部材1102bは、上面1110bおよびクラブのトウに対面する内に湾曲する面1150bを含む。望むならば、第一の補剛部材1102aおよび第二の補剛部材1102bは互いの鏡像であってもよいが、必ずしもそうでなくてもよい。
【００７３】
望むならば、第一および第二の補剛部材1102aおよび1102bの湾曲面1150aおよび1150bは互いに対面して、補剛部材1102aおよび1102bの間に内部区域1112を画定しうる。さらには、図23Aおよび23Bに示すように、第一の補剛部材1102aは、第一の補剛部材1102aの上面1110aから内部区域1112まで延びる第一の傾斜した移行領域1116aを含んでもよく、第二の補剛部材1102bは、第二の補剛部材1102bの上面1110bから内部区域1112まで延びる第二の傾斜した移行領域1116bを含んでもよい。同様に、第一の補剛部材1102aはさらに、第一の補剛部材1102aの上面1110aから第一の補剛部材1102aに対して外の、かつ内部区域1112に対して外の区域1114aまで延びる第三の傾斜した移行領域1118aを含んでもよく、第二の補剛部材1102bはさらに、第二の補剛部材1102aの上面1110bから第二の補剛部材1102bに対して外のかつ内部区域1112に対して外の区域1114bまで延びる第四の傾斜した移行領域1118bを含んでもよい。傾斜している代わりに、移行領域1116a、1116b、1118aおよび／または1118bは、段を有する、湾曲している、または他のやり方で付形されてもよい。
【００７４】
本発明を逸脱することなく、様々な領域1110a、1110b、1112、1114a、1114b、1116a、1116b、1118aおよび1118bは、図22Aおよび22Bに関して先に記した様々な対応する区域の厚さ範囲を含む任意の所望の厚さを有しうる。本発明を逸脱することなく、様々な領域1110a、1110b、1112、1114a、1114b、1116a、1116b、1118aおよび1118bは、フェース表面積全体の任意の所望の割合を占めてもよい。以下の表は、これらの様々な区域の表面積のいくつかの可能な範囲を提示する。
0005601726.tif 000003
【００７５】
フェース全体は、任意の所望の面積を有してもよく、ドライバの場合、この面積は、少なくとも約4.8in2、いくつかの例においては4.8in2〜10in2の範囲、いくつかの例においては5in2〜8in2でありうる。
【００７６】
本発明を逸脱することなく、補剛部材1102aおよび1102bは任意の所望の長さ（たとえば、点1106aおよび1106bからそれぞれ点1108aおよび1108bまで）を有してもよく、ゴルフクラブフェース1100の任意の所望の位置に配置されてもよい。図示される例示的構造1100は、組み合わされて、上寄りヒール四分円から下寄りトウ四分円に向かって傾斜した補剛部材構造1102全体を形成する補剛部材1102aおよび1102bを示すが、下寄りヒール四分円から上寄りトウ四分円までを含む他の配設が可能である。また、補剛部材1102aおよび1102bは、図23Aに示すよりもヒール寄りおよび／またはトウ寄りを含め、フェースに沿ってヒール−トウ方向の任意の所望の位置に、任意の所望の距離によって分けられて配置されてもよい。本発明を逸脱することなく、補剛部材1102aおよび／または1102bはまた、たとえば水平から10〜80°、いくつかの例においては水平から20〜70°またはさらに水平から30〜60°の角度を含む任意の所望の角度で延びてもよい。また、補剛部材1102aおよび／または1102bは、フェース1100の上面からフェース1100の下面まで完全には延びなくてもよいが、望むならば、この距離全部に延びてもよい。いくつかの例示的構造において、補剛部材1102aおよび／または1102bは、フェース1100の上面からフェース1100の下面までの距離の50〜100％に延び、この距離の60〜95％またはさらに70〜90％に及びうる。
【００７７】
本明細書に記載される打球面200（以下参照）は、フェースまたはその区域の可撓性に影響するさらなる特徴を有しうることが理解されよう。たとえば、フェース200（以下参照）は、相対的に増大または減少したフェース厚のさらなる区域を有しうる。さらには、本明細書に記載されるフェース200（以下参照）は、より多数または少数の補剛部材を含み、多数の「第一の」補剛部材（本明細書に記載されるような）を含み、相対的な剛性および可撓性のさらなる区域を創製しうる。多数の補剛部材を有する上記態様においては、様々な補剛部材が異なる材料で形成されてもよく、あるいは加工技術によって特定の性質を有するように補強または他のやり方で設計されてもよいことが企図される。
【００７８】
本明細書に開示されるフェース200（以下参照）を組み込むヘッド102は、打球装置またはその一部として使用されてもよい。たとえば、図1に示すようなゴルフクラブ100は、シャフトまたはハンドル104を、上記のようなヘッド102に取り付けることによって製造されうる。他の態様において、本明細書に記載される原理にしたがって様々なタイプの打球装置を製造することができる。
【００７９】
本明細書に記載されるような打球装置およびそのためのヘッドは、既存の製品に対して多くの恩典および利点を提供する。たとえば、補剛部材は、ヘッドのフェースに局所的剛性および可撓性を提供して、規制当局によって規定されたCOR制限を超えることなく、フェースの特定の区域が他の区域よりも高いCORを有するように戦略的に配置され、設計されることができる。ヘッドは、プレー中にもっとも頻繁にボールと衝突するフェースの区域が、より高いCORを有するように構成されることができる。フェース上のそのような特定の位置に衝突するボールは、より多くのエネルギーおよび速度をそこに伝達され、したがって、より長いヒットを生じさせる。
【００８０】
本発明を実施する好ましい形態を含む具体例に関して本発明を詳細に説明したが、当業者は、上記システムおよび方法の数多くの変形および置換があることを理解するであろう。したがって、本発明の真意および範囲は、請求の範囲に述べられるように広義に解釈されるべきである。
【図１】
0005601726.tif 000004
【図２】
0005601726.tif 000005
【図３】
0005601726.tif 000006
【図４】
0005601726.tif 000007
【図５】
0005601726.tif 000008
【図６】
0005601726.tif 000009
【図７】
0005601726.tif 000010
【図８】
0005601726.tif 000011
【図９】
0005601726.tif 000012
【図１０】
0005601726.tif 000013
【図１１】
0005601726.tif 000014
【図１２】
0005601726.tif 000015
【図１３】
0005601726.tif 000016
【図１４】
0005601726.tif 000017
【図１５】
0005601726.tif 000018
【図１６】
0005601726.tif 000019
【図１７】
0005601726.tif 000020
【図１８】
0005601726.tif 000021
【図１９】
0005601726.tif 000022
【図２０】
0005601726.tif 000023
【図２１】
0005601726.tif 000024
【図２２】
0005601726.tif 000025
【図２３】
0005601726.tif 000026